(57)【要約】      （修正有）【課題】外反母趾又は内反小趾の予防等を可能にし、従来品のように多数の工程を経ることなく安価に製造できる靴下を提供する。【解決手段】足指が挿入可能な足指挿入部１、２、３、４、５、６を形成し、親指挿入部１と人差し指挿入部３との間に形成されている足指挿入部２に、足指挿入部２のつま先部７ａと反対側に形成の内側開口部８より外反母趾防止材９を挿入して外反母趾防止部ｂを形成するか、くすり指挿入部４と小指挿入部６との間に形成されている足指挿入部５に、足指挿入部５のつま先部と反対側に形成の内側開口部より内反小趾防止材を挿入して内反小趾防止部を形成する。【選択図】図１
0003185883.tif 000002
【実用新案登録請求の範囲】
【請求項１】
靴下編み機によって形成される靴下において、足指が挿入可能な足指挿入部を６本形成し、前記足指挿入部中、親指挿入部と人差し指挿入部との間に形成されている足指挿入部に、前記足指挿入部のつま先部と反対側方に形成の内側開口部より外反母趾防止材を挿入して外反母趾防止部を形成するか、もしくは前記６本の足指挿入部中、くすり指挿入部と小指挿入部との間に形成されている足指挿入部に、前記足指挿入部のつま先部と反対側方に形成の内側開口部より内反小趾防止材を挿入して内反小趾防止部を形成することを特徴とする外反母趾・内反小趾防止用靴下。
【請求項２】
前記外反母趾防止部と前記外反母趾防止部の左側方の親指挿入部とを編み糸等で接続せしめ、且つ前記外反母趾防止部と前記外反母趾防止部の右側方の人差し指挿入部とを編み糸等で接続せしめ、且つ前記内反小趾防止部と前記内反小趾防止部の左側方のくすり指挿入部とを編み糸等で接続せしめることを特徴とする請求項１に記載の外反母趾・内反小趾防止用靴下。
【請求項３】
靴下編み機によって形成される靴下において、足指が挿入可能な足指挿入部を７本形成し、前記足指挿入部中、親指挿入部と人差し指挿入部との間に形成されている足指挿入部に、前記足指挿入部のつま先部と反対側方に形成の内側開口部より外反母趾防止材を挿入して外反母趾防止部を形成し、且つ前記7本の足指挿入部中、くすり指挿入部と小指挿入部の間に形成されている足指挿入部に、前記足指挿入部のつま先部と反対側方に形成の内側開口部より内反小趾防止材を挿入して内反小趾防止部を形成することを特徴とする外反母趾・内反小趾防止用靴下。
【請求項４】
前記外反母趾防止部と前記外反母趾防止部の左側方の親指挿入部とを編み糸等で接続せしめ、且つ前記外反母趾防止部と前記外反母趾防止部の右側方の人差し指挿入部とを編み糸等で接続せしめると共に、前記内反小趾防止部と前記内反小趾防止部の左側方のくすり指挿入部とを編み糸等で接続せしめ、且つ前記内反小趾防止部と前記内反小趾防止部の右側方の小指挿入部とを編み糸等で接続せしめることを特徴とする請求項３に記載の外反母趾・内反小趾防止用靴下。
【請求項５】
前記足指が挿入可能な６本の足指挿入部もしくは７本足指の下方基部に所定の幅員を有するサポート編の部分を靴下の表面部及び裏面部に一体にして形成せしめることを特徴とする請求項１もしくは同２もしくは同３もしくは４に記載の外反母趾・内反小趾防止用靴下。
【考案の詳細な説明】
【技術分野】
【０００１】
本考案は、外反母趾・内反小趾防止用靴下の技術分野に関するものである。
【背景技術】
【０００２】
従来、外反母趾防止用靴下として、特開２００１−４０５０６公開特許公報が開示されている。
【０００３】
この公開特許公報の外反母趾防止用靴下は、母趾と第２趾との間に外反母趾防止材を挿入した袋部をセットし、次に下方前記袋部が、移動することなく、安定させるために、下方靴下生地の裏面部に伸縮性のシート材を縫着もしくは被着せしめたものが開示されている。
【０００４】
さらに、近年外反母趾防止及び内反小趾の痛みを緩和をする商品として、足指と人差し指との間に挿入する足指間パッドと足のくすり指と足の小指との間に挿入する小趾用パッドをセットにした外反母趾防止及び内反小趾サポーターが市販されている。
【先行技術文献】
【特許文献】
【０００５】
【特許文献１】特開２００１−４０５０６公開特許公報
【考案の概要】
【考案が解決しようとする課題】
【０００６】
前記文献１に記載の外反母趾防止用靴下は前述したとおり、母趾と第２趾との間に外反母趾防止材を挿入した袋部をセットし、次に下方前記袋部が、移動することなく、安定させるために、靴下生地の裏面部に伸縮性のシート材を縫  着もしくは被着せしめたものである。
【０００７】
さらに、最近販売されている外反母趾防止及び内反小趾サポーターは、靴下もしくはソックス等を履用する以前に、足指間パッドを予め足の親指と人差し指との間に、さらに足のくすり指と小指との間に挿入せしめながら足に履用するものである。
【０００８】
しかるに、本考案は５本の足指を挿入する足指挿入部を編成する靴下編み機を使用して、足指挿入部を５本ではなく、６本もしくは７本の足指挿入部を一挙に編成し、その中の１本の足挿入部に、予め別設する外反母趾防止材及び内反小趾防止材を出入自在に挿入せしめると共に、外反母趾の予防もしくは内反小趾の予防等を可能にすると共に、かかる靴下を極めて従来品のように多数の工程を経ることなく製造せしめて、安価に製造できるという課題を解決した。
【０００９】
さらに、本考案は、前記した外反母趾防止材もしくは内反小趾防止材の形状が異なる多種類の別部材を予め用意しておくことによって、履用者の足指の大きさや、痛み等の緩和を調整しながら履用できる製品作りを可能にする課題を解決した。
【００１０】
また、本考案は、外反母趾防止材や内反小趾防止材を収納する外反母趾防止部や内反小趾防止部が左右両サイドに隣接する足親指や人差し指、もしくはくすり指や小指が挿入する各挿入部を編糸等によって接続することによって、靴下を履用し歩行中に、浮き上がったり、下方に落ち込んだりして違和感を感じたりしないという課題を解決した。
【００１１】
さらに、本考案の靴下は、外反母趾防止や内反小趾予防等を可能にすると云う課題をも解決した。
【００１２】
また、本考案は、前記したような外反母趾及び内反小趾の痛みを緩和をする商品として、足の親指と人差し指との間に挿入する足指間パッドと、足のくすり指と足の小指との間に挿入する小趾用パッドをセットにした外反母趾及び内反小趾サポーターが存するが、前記サポーターと異なり、１足の靴下に外反母趾防止部もしくは内反小趾防止部もしくは外反母趾部及び内反小趾防止部とを一体に形成した外反母趾及び内反小趾防止用靴下を安価にして、製品寿命も長く、耐久性にもすぐれ、履用者の足指の大きさ及び外反母趾もしくは内反小趾の症状に対応した形状の外反母趾防止材もしくは内反小趾防止材を自由自在に選択できるという課題を解決した。
【００１３】
本考案は、１足の靴下に外反母趾防止部と内反小趾防止部を形成せしめたことによって、外反母趾と内反小趾に悩む履用者の痛みを同時に解消できると共に、従来商品のような外反母趾と内反小趾用のパッドを装着したサポーターにプラスして別設の靴下を履用するという煩雑さと、二重の履用による膨らみによる足への圧迫感をも解消できるという課題を解決した。
【課題を解決するための手段】
【００１４】
課題を解決するための手段として、請求項１に記載の考案は、靴下編み機によって形成される靴下aにおいて、足指が挿入可能な足指挿入部１、２、３、４、５、６を６本形成し、前記足指挿入部１、２、３、４、５、６中、親指挿入部１と人差し指挿入部３との間に形成されている足指挿入部２に、前記足指挿入部２のつま先部７と反対側方に形成の内側開口部８より外反母趾防止材９を挿入して外反母趾防止部ｂを形成するか、もしくは前記６本の足指挿入部１、２、３、４、５、６中、くすり指挿入部４と小指挿入部６との間に形成されている足指挿入部５に、前記足指挿入部５のつま先部７と反対側方に形成の内側開口部８より内反小趾防止材１０を挿入して内反小趾防止部ｃを形成することを特徴とする外反母趾・内反小趾防止用靴下である。
【００１５】
課題を解決するための手段として、請求項２に記載の考案は、前記外反母趾防止部ｂと前記外反母趾防止部ｂの左側方の親指挿入部１aとを編み糸等で接続せしめ、且つ前記外反母趾防止部ｂと前記外反母趾防止部ｂの右側方の人差し指挿入部３とを編み糸等で接続せしめ、且つ前記内反小趾防止部ｃと前記内反小趾防止部ｃの左側方のくすり指挿入部４とを編み糸等で接続せしめることを特徴とする請求項１に記載の外反母趾・内反小趾防止用靴下である。
【００１６】
課題を解決するための手段として、請求項３に記載の考案は、靴下編み機によって形成される靴下aにおいて、足指が挿入可能な足指挿入部１、２、３、４、５、６、７を７本形成し、前記足指挿入部１、２、３、４、５、６、７中、親指挿入部１と人差し指挿入部３との間に形成されている足指挿入部２に、前記足指挿入部２のつま先部７と反対側方に形成の内側開口部８より外反母趾防止材９を挿入して外反母趾防止部ｂを形成し、且つ前記7本の足指挿入部１、２、３、４、５、６、７中、くすり指挿入部５と小指挿入部７の間に形成されている足指挿入部６に、前記足指挿入部６のつま先部７と反対側方に形成の内側開口部８より内反小趾防止材１０を挿入して内反小趾防止部ｃを形成することを特徴とする外反母趾・内反小趾防止用靴下である。
【００１７】
課題を解決するための手段として、請求項４に記載の考案は、前記外反母趾防止部ｂと前記外反母趾防止部ｂの左側方の親指挿入部１aとを編み糸等で接続せしめ、且つ前記外反母趾防止部ｂと前記外反母趾防止部ｂの右側方の人差し指挿入部３とを編み糸等で接続せしめると共に、前記内反小趾防止部ｃと前記内反小趾防止部ｃの左側方のくすり指挿入部５とを編み糸等で接続せしめ、且つ前記内反小趾防止部ｃと前記内反小趾防止部ｃの右側方の小指挿入部７とを編み糸等で接続せしめることを特徴とする請求項３に記載の外反母趾・内反小趾防止用靴下である。
【００１８】
課題を解決するための手段として、請求項５に記載の考案は、前記足指が挿入可能な６本の足指挿入部１、２、３、４、５、６もしくは７本足指１、２、３、４、５、６、７の下方基部１５に所定の幅員を有するサポート編の部分１６を靴下の表面部１７及び裏面部１８に一体にして形成せしめることを特徴とする請求項１もしくは同２もしくは同３もしくは４に記載の外反母趾・内反小趾防止用靴下である。
【考案の効果】
【００１９】
請求項１記載の考案は、靴下編み機によって形成される靴下aにおいて、足指が挿入可能な足指挿入部１、２、３、４、５、６を６本形成し、前記足指挿入部１、２、３、４、５、６中、親指挿入部１と人差し指挿入部３との間に形成されている足指挿入部２に、前記足指挿入部２のつま先部７と反対側方に形成の内側開口部８より外反母趾防止材９を挿入して外反母趾防止部ｂを形成するか、もしくは前記６本の足指挿入部１、２、３、４、５、６中、くすり指挿入部４と小指挿入部６との間に形成されている足指挿入部５に、前記足指挿入部５のつま先部７と反対側方に形成の内側開口部８より内反小趾防止材１０を挿入して内反小趾防止部ｃを形成することを特徴とする外反母趾・内反小趾防止用靴下なので、外反母趾防止材を収納する外反母趾防止部もしくは内反小趾防止材を収納する内反小趾防止部を、従来のような別設した外反母趾防止部もしくは内反小趾防止部を親指挿入部と人差し指挿入部の間に介在せしめ、且つ弾力性シート材を靴下底面部に接着する等して固着することなく、編み機を介して５本の足指を挿入する指挿入部と同形状もしくは類似形状の指挿入部を6本ないし7本を同時に形成して、前記した外反母趾防止材を収納する外反母趾防止部もしくは内反小趾防止材を収納する内反小趾防止部を、極めて簡単にして、確実且つ迅速に形成できる利点を有している。
【００２０】
さらに本考案は、前記外反母趾防止部と内反小趾防止部を有する靴下を安価に提供できるし、製品自体を堅固に仕上げることができるので、外反母趾防止材や内反小趾防止材がクリーニング時に飛出し紛失したりするおそれは全くない。
【００２１】
また、本考案は、履用時に厚ぼったいという感触は殆んどないので、履用者に違和感を与えたりしない利点がある。
【００２２】
本考案は、前記外反母趾防止材もしくは内反小趾防止材について、異なる形状のものを取揃えておくことができるので、履用者の足の形状や、痛みの具合いに対応して自在に交換ができるので、極めて利便である。
【００２３】
請求項２に記載の考案は、前記外反母趾防止部ｂと前記外反母趾防止部ｂの左側方の親指挿入部１aとを編み糸等で接続せしめ、且つ前記外反母趾防止部ｂと前記外反母趾防止部ｂの右側方の人差し指挿入部３とを編み糸等で接続せしめ、且つ前記内反小趾防止部ｃと前記内反小趾防止部ｃの左側方のくすり指挿入部４とを編み糸等で接続せしめる外反母趾・内反小趾防止用靴下なので、前記請求項１に記載の考案と同じ効果を有している。
【００２４】
さらに、本考案は、靴下を履用しての歩行中に、前記した外反母趾防止部あるいは内反小趾防止部が落ち込んだりして違和感を感じたりしない。
【００２５】
請求項３記載の考案は、靴下編み機によって形成される靴下aにおいて、足指が挿入可能な足指挿入部１、２、３、４、５、６、７を７本形成し、前記足指挿入部１、２、３、４、５、６、７中、親指挿入部１と人差し指挿入部３との間に形成されている足指挿入部２に、前記足指挿入部２のつま先部７と反対側方に形成の内側開口部８より外反母趾防止材９を挿入して外反母趾防止部ｂを形成し、且つ前記7本の足指挿入部１、２、３、４、５、６、７中、くすり指挿入部５と小指挿入部７の間に形成されている足指挿入部６に、前記足指挿入部６のつま先部７と反対側方に形成の内側開口部８より内反小趾防止材１０を挿入して内反小趾防止部ｃを形成する外反母趾・内反小趾防止用靴下なので、前記請求項１に記載の考案の効果と同じ効果を有している。
【００２６】
請求項４記載の考案は、前記外反母趾防止部ｂと前記外反母趾防止部ｂの左側方の親指挿入部１aとを編み糸等で接続せしめ、且つ前記外反母趾防止部ｂと前記外反母趾防止部ｂの右側方の人差し指挿入部３とを編み糸等で接続せしめると共に、前記内反小趾防止部ｃと前記内反小趾防止部ｃの左側方のくすり指挿入部５とを編み糸等で接続せしめ、且つ前記内反小趾防止部ｃと前記内反小趾防止部ｃの右側方の小指挿入部７とを編み糸等で接続せしめる外反母趾・内反小趾防止用靴下なので、前記請求項１、２及び３に記載の考案と同じ効果を有している。
【００２７】
請求項５記載の考案は、前記足指が挿入可能な６本の足指挿入部１、２、３、４、５、６もしくは７本足指１、２、３、４、５、６、７の下方基部１５に所定の幅員を有するサポート編の部分１６を靴下の表面部１７及び裏面部１８に一体にして形成せしめる外反母趾・内反小趾防止用靴下なので、前記請求項１、２、３及４に記載の考案と同じ効果を有している。
【００２８】
さらに本考案は、前記した６本もしくは７本の足指の下方基部を安定して締め付けるので、前記した各指がより一層開き易くなって外反母趾もしくは内反小趾の防止に貢献できる利点がある。
【図面の簡単な説明】
【００２９】
【図１】本考案外反母趾・内反小趾防止用靴下の使用状態を示す斜面図である。
【００３０】
【図２】同靴下の正面図である。
【００３１】
【図３】同靴下の第１実施例を示す正面図である。
【００３２】
【図４】同靴下の第２実施例を示す正面図である。
【００３３】
【図５】同靴下の第３実施例を示す正面図である。
【００３４】
【図６】同靴下の図３におけるＡ〜Ａ線の拡大縦断図面である。
【００３５】
【図７】同靴下の図４におけるＢ〜Ｂ線の拡大縦断図面である。
【００３６】
【図８】同靴下の図３におけるＣ〜Ｃ線の拡大縦断図面である。
【００３７】
【図９】同靴下の図４におけるＤ〜Ｄ線の拡大縦断図面である。
【００３８】
【図１０】上図・中図・下図は同靴下の外反母趾防止部材の第１、２、３実施例の各斜視図である。
【００３９】
【図１１】上図・中図・下図は同靴下の内反小趾部材の第１、２、３実施例の各斜視図である。
【００４０】
【図１２】同図１の靴下を背面から見た状態を示す一部切欠拡大背面図である。
【００４１】
【図１３】同図５の靴下を背面から見た状態を示す一部切欠拡大背面図である。
【００４２】
【図１４】従来の外反母趾防止部と内反小趾部が一体のサポーターを着用した状態の斜視図である。
【考案を実施するための最良の形態】
【００４３】
本考案の請求項１〜５に記載の考案の実施の形態は共通しているので、一括して以下のとおり説明する。
【００４４】
図においてａは本考案外反母趾・内反小趾用靴下を形成する靴下編み機（図示なし）によって形成された6本もしくは7本の足指挿入部１、２、３、４、５、６もしくは7本の足指挿入部１、２、３、４、５、６、７を有する靴下である。
【００４５】
本考案の要旨の1つである外反母趾防止部ｂは、前記足指挿入部１、２、３、４、５、６中、親指挿入部１と人差し指挿入部３との間に形成されている足指挿入部２のつま先部７と反対側方に形成する内側開口部８より外反母趾防止材９を挿入して形成する。
【００４６】
前記外反母趾防止部ｂを形成する前記外反母趾防止部９を挿入する足指挿入部２の形状は、親指挿入部１もしくは他の人差し指挿入部３と同一もしくは同程度の形状で足りる。また編み糸も他の５本の指挿入部１、３、４、５、６の編み糸と同じである。
【００４７】
前記外反母趾防止材９の構成について説明する。
【００４８】
前記外反母趾防止材９としては、弾力性を有するゴム材、シリコン材、発泡ウレタン材もしくは布材等を図面に図示するような大、中、小の各種形状のものを予め別設する。
【００４９】
前記各種形状のものを形成しておくことによって、履用者の脚の足指の大きさや、痛みの程度に応じて、前記足指挿入部２の内側開口部８より出入させて調節できる。
【００５０】
さらに本考案の外反母趾防止部ｂは、靴下クリーニング時に、前記外反母趾防止材１０が、前記足指挿入部２内に確実に収納しているので、離脱して紛失したりしない。
【００５１】
本考案の外反母趾防止部ｂは、前記外反母趾防止部ｂと、前記外反母趾防止部ｂの左側方の親指挿入部１との間を編み糸等で接続せしめ、且つ前記外反母趾防止部ｂと前記外反母趾防止部ｂの右側方の人差し指挿入部３との間も編み糸等で接続せしめるものである。
【００５２】
前記のように編み糸等で接続せしめることによって、靴下を履用して歩行したりしても、前記外反母趾防止部ｂが、前記の接続編み糸によって浮き上ったり、あるいは下方に落ち込んだりしない。そのため履用者が違和感を感じたりしない利点がある。
【００５３】
つぎに本考案の内反小趾防止部ｃを説明する。
【００５４】
この内反小趾防止部ｃも前記のように靴下編み機（図示なし）を使用して形成した足指が挿入可能な足指挿入部１、２、３、４、５、６を６本形成し、前記足指挿入部１、２、３、４、５、６中、くすり指挿入部４と小指挿入部６との間に形成されている足指挿入部５に、前記足指挿入部５のつま先部７と反対側方に形成の内側開口部８より内反小趾防止材１０を挿入して形成する。
【００５５】
そして、前記内反小趾防止部ｃも、形状的には左右両サイドに形成されているくすり指及び小指挿入部４、６とバランスのとれた美感的にも違和感を感じない程度の大きさにて形成される。
【００５６】
さらに、内反小趾防止材１０も、前記外反母趾防止材９と同様な材質のものを使用すると共に、形状的にも履用者の指の大きさ、もしくは痛み具合に対応できるように、形状の異なるものを予め複数形成しておくものとする。従って、履用者が傷みを強く感じたり、あるいは違和感を強く感ずるときは、比較的大きさの小さいものと交換して使用すればよい。
【００５７】
さらに、本考案は、前記した外反母趾防止部ａ及び内反小趾防止部ｃの何れかを具備する靴下を形成してもよい。
【００５８】
さらに、本考案の要旨である前記外反母趾防止部ａ及び内反小趾防止部ｃを同時に有する靴下の実施例について説明すると以下のとおりである。
【００５９】
靴下編み機によって足指が挿入可能な足指挿入部１、２、３、４、５、６、７を７本形成し、前記足指挿入部１、２、３、４、５、６、７中、親指挿入部１と人差し指挿入部３との間に形成されている足指挿入部２に、前記足指挿入部２のつま先部７と反対側方に形成の内側開口部８より外反母趾防止材９を挿入して外反母趾防止部ｂを形成する。
【００６０】
他方内反小趾防止部ｃの実施例としては、足指が挿入可能な7本の足指挿入部１、２、３、４、５、６、７中、くすり指挿入部５と小指挿入部７の間に形成されている足指挿入部６に、前記足指挿入部６のつま先部７と反対側方に形成の内側開口部８より内反小趾防止材１０を挿入して内反小趾防止部ｃを形成する。
【００６１】
前記のようにして形成する外反母趾防止部ｂと内反小趾防止部ｃの内部に装入する防止部材は、前記した単独で形成せしめる外反母趾防止部ｂと内反小趾防止部ｃの夫々内部に挿入する外反母趾防止材９と内反小趾防止材１０と同じ形状及び材料のものを使用する。
【００６２】
本考案の外反母趾防止部ｂは、履用中に浮き上がったり、下方部位に落ち込んだりしないように下記の実施形態を有している。
【００６３】
すなわち、前記外反母趾防止部ｂと前記外反母趾防止部ｂの左側方の親指挿入部１の間を編み糸等で接続せしめ、他方前記外反母趾防止部ｂと前記外反母趾防止部ｂの右側方の人差し指挿入部３との間も編み糸で接続せしめるものである。
【００６４】
符号７ｃは前記の編み糸等の接合部を示している。
【００６５】
さらに、外反母趾防止部ｂと内反小趾防止部ｃの夫々の左右両側方の親指挿入部１と右側方の人差し指挿入部３と、くすり指挿入部５と小指挿入部７との間を接続せしめる編み糸等の長短は、足指挿入部の基部７ｂよりつま先部７aの全長であったり、若干短くして、適宜調整できる。
【００６６】
符号１１は靴下ａにおける開口部を示している。
【００６７】
本考案は、前記足指が挿入可能な６本の足指挿入部１、２、３、４、５、６もしくは７本足指１、２、３、４、５、６、７の下方基部１５に所定の幅員を有するサポート編の部分１６を靴下の表面部１７及び裏面部１８に一体にして形成する。
【００６８】
符号１２は従来の外反母趾防止部１３と内反小趾防止部１４が一体となった外反母趾・内反小趾防止用サポーターである。
【００６９】
符号７ｃは編み糸等の接合部を示している。
【符号の説明】
【００７０】
ａ    靴下
ｂ    外反母趾防止部
ｃ    内反小趾防止部
１    足指挿入部（親指挿入部）
２    足指挿入部
３    足指挿入部（人差し指挿入部）
４    足指挿入部
５    足指挿入部
６    足指挿入部
７    足指挿入部
７ａ  つま先部
７ｂ  基部
７ｃ  接合部
８    内側開口部
９    外反母趾防止材
１０  内反小趾防止材
１１  開口部
１２  サポーター
１３  外反母趾防止部
１４  内反小趾防止部
１５  下方基部
１６  サポート編み部分
１７  表面部
１８  裏面部
【図１】
0003185883.tif 000003
【図２】
0003185883.tif 000004
【図３】
0003185883.tif 000005
【図４】
0003185883.tif 000006
【図５】
0003185883.tif 000007
【図６】
0003185883.tif 000008
【図７】
0003185883.tif 000009
【図８】
0003185883.tif 000010
【図９】
0003185883.tif 000011
【図１０】
0003185883.tif 000012
【図１１】
0003185883.tif 000013
【図１２】
0003185883.tif 000014
【図１３】
0003185883.tif 000015
【図１４】
0003185883.tif 000016